(57)【要約】【課題】多量のバラスト処理水を短時間にバラストタンクへ供給できるバラスト水処理用膜カートリッジを用いたバラスト水の処理方法を提供すること。【解決手段】バラスト原水１０を、スパイラル膜モジュールを備えてなる膜カートリッジ１に供給して処理水を得る膜処理と、膜洗浄を交互に行うバラスト水処理用膜カートリッジを用いたバラスト水の処理方法であって、前記膜処理の際に、デッドエンド方式で全量ろ過して膜処理水を得、次いで、前記膜洗浄の際に、バラスト原水の膜面平行流により膜表面を洗浄することを特徴とする。【選択図】        図１
2011040603.tif 000002
【特許請求の範囲】
【請求項１】
バラスト原水を、スパイラル膜モジュールを備えてなる膜カートリッジに供給して処理水を得る膜処理と、膜洗浄を交互に行うバラスト水処理用膜カートリッジを用いたバラスト水の処理方法であって、
前記膜処理の際に、デッドエンド方式で全量ろ過して膜処理水を得、
次いで、前記膜洗浄の際に、バラスト原水の膜面平行流により膜表面を洗浄することを特徴とするバラスト水処理用膜カートリッジを用いたバラスト水の処理方法。
【請求項２】
前記膜洗浄の際に、バラスト原水の膜面平行流により膜表面を洗浄すると共に膜処理水を得ないことを特徴とする請求項１記載のバラスト水処理用膜カートリッジを用いたバラスト水の処理方法。
【請求項３】
前記膜洗浄の際に、バラスト原水の膜面平行流により膜表面を洗浄すると共に膜処理水を得ることを特徴とする請求項１記載のバラスト水処理用膜カートリッジを用いたバラスト水の処理方法。
【請求項４】
全量ろ過による膜処理と膜面平行流による膜洗浄の切り替えを、タイマーによって行うことを特徴とする請求項１〜３の何れかに記載のバラスト水処理用膜カートリッジを用いたバラスト水の処理方法。
【請求項５】
膜カートリッジは、バラストタンクへ１日で処理水を満水にするために必要な本数を備えることを特徴とする請求項１〜４の何れかに記載のバラスト水処理用膜カートリッジを用いたバラスト水の処理方法。
【発明の詳細な説明】
【技術分野】
【０００１】
本発明は、バラスト原水を、スパイラル膜モジュールを備えてなる膜カートリッジに供給して処理水を得る膜処理と、膜洗浄を交互に行うバラスト水処理用膜カートリッジを用いたバラスト水の処理方法に関し、詳しくは、多量のバラスト処理水を短時間にバラストタンクへ供給できるバラスト水処理用膜カートリッジを用いたバラスト水の処理方法に関する。
【背景技術】
【０００２】
原油等を輸送する貨物用船舶には、航行時の船体の安定性を保つためにバラストタンクが設けられている。通常、原油等が積載されていないときには、バラストタンク内をバラスト水で満たし、原油等を積み込む際にバラスト水を排出することにより、船体の浮力を調整し、船体を安定化させている。【０００３】
このようにバラスト水は、船舶の安全な航行のために必要な水であり、通常、荷役を行う港湾のバラスト原水が利用される。その量は、世界的にみると年間１００億トンを超えるといわれている。【０００４】
ところで、バラスト水中には、それを取水した港湾に生息する微生物や、小型・大型生物の卵が混入しており、船舶の移動に伴い、これら微生物や、小型・大型生物の卵が同時に異国に運ばれることになる。【０００５】
従って、もともとその海域には生息していなかった生物種が、既存生物種に取って代わるといった生態系の破壊が深刻化している。【０００６】
このような背景の中、国際海事機関（ＩＭＯ）の外交会議において、バラスト水処理装置等に係る定期的検査の受検義務が採択され、２００９年以降の建造船から適用されている。【０００７】
また、船舶のバラスト水及び沈殿物の規制及び管理のための条約（以下、条約という）により、バラスト水の排出基準は、バラスト水の排出時に外洋に存在する微生物数の１００分の１程度まで殺菌あるいは除菌されていることが要求されている。【０００８】
バラスト水中の微生物を殺菌する技術としては、オゾン殺菌技術（特許文献１）が知られている。またオゾン使用量を削減する観点から、本出願人は、膜処理技術も提案している（特許文献２）。膜処理に用いられる膜は、一般に、分離対象となる微生物の大きさを考慮して、精密ろ過膜や限外ろ過膜が用いられている。膜のタイプとしては、平膜（特許文献３）やスパイラル膜（特許文献４）などが知られているが、いずれのタイプであっても、膜処理の場合には、膜の目詰まりが発生し、膜面積当たりの処理量（フラックス）が低下する問題を有している。
【先行技術文献】
【特許文献】
【０００９】
【特許文献１】ＵＳ２００３／００１５４８１
【特許文献２】特開２００７−２６８３７９号公報
【特許文献３】特許第３１６０６０９号公報
【特許文献４】特開２０００−２７１４５４号公報
【発明の概要】
【発明が解決しようとする課題】
【００１０】
バラストタンクの容量は、船舶の規模にもよるが、大型の船舶の場合、たとえば１０，０００〜５０，０００ｍ３と膨大である。にもかかわらず、そのタンクに大量のバラスト水を充填するのに、１日程度の時間で行わなければならないというバラスト特有の課題がある。船舶が積み荷を降ろして再出港するまでの時間が限られているからである。【００１１】
しかるに、従来の膜処理方法では、通常、加圧循環方式が採用されている。この加圧循環方式は、原水を加圧して、膜間に供給し、膜間を通過する際に、ろ過水と濃縮水に分離し、濃縮液は、再度原水側に戻し、原水と共に循環する方式である。この方式では、原水から濃縮液が分離される分だけ、原水から分離されるろ過水の量が減少することは避けられない。このため、短時間に大量のろ過水を得ようとする上では問題が残る。【００１２】
そこで、本発明者は、原水を全量ろ過するデッドエンド方式を検討した。デッドエンド方式は、バラスト水処理が高速である利点があるが、その反面、膜表面の付着物質による目詰まりを起こし易く、フラックス低下が早い。数週間の長期の連続運転を行った場合は、目詰まりによって液が滞留し、膜への負荷が大きくなり、膜を損傷する恐れもある。【００１３】
従来は、この様な問題を有するが故に、スパイラル膜カートリッジによる膜処理において、全量ろ過を行うデッドエンド方式は採用されていなかった。【００１４】
しかし、本発明者は、バラスト水処理においては、漲水は通常１日程度で完了するため、長期の連続運転が要求されない点、更に、スパイラル膜カートリッジであれば、膜面平行流による洗浄を適用できる点に着目し、デッドエンド方式と膜面平行流による洗浄を交互に行うことによって、短時間に大量のろ過水を得ることを見出し、本発明に至った。【００１５】
そこで、本発明の課題は、多量のバラスト処理水を短時間にバラストタンクへ供給できるバラスト水処理用膜カートリッジを用いたバラスト水の処理方法を提供することにある。【００１６】
また本発明の他の課題は、以下の記載によって明らかとなる。
【課題を解決するための手段】
【００１７】
上記課題は、以下の各発明によって解決される。【００１８】
請求項１記載の発明は、バラスト原水を、スパイラル膜モジュールを備えてなる膜カートリッジに供給して処理水を得る膜処理と、膜洗浄を交互に行うバラスト水処理用膜カートリッジを用いたバラスト水の処理方法であって、前記膜処理の際に、デッドエンド方式で全量ろ過して膜処理水を得、次いで、前記膜洗浄の際に、バラスト原水の膜面平行流により膜表面を洗浄することを特徴とするバラスト水処理用膜カートリッジを用いたバラスト水の処理方法である。【００１９】
請求項２記載の発明は、前記膜洗浄の際に、バラスト原水の膜面平行流により膜表面を洗浄すると共に膜処理水を得ないことを特徴とする請求項１記載のバラスト水処理用膜カートリッジを用いたバラスト水の処理方法である。【００２０】
請求項３記載の発明は、前記膜洗浄の際に、バラスト原水の膜面平行流により膜表面を洗浄すると共に膜処理水を得ることを特徴とする請求項１記載のバラスト水処理用膜カートリッジを用いたバラスト水の処理方法である。【００２１】
請求項４記載の発明は、全量ろ過による膜処理と膜面平行流による膜洗浄の切り替えを、タイマーによって行うことを特徴とする請求項１〜３の何れかに記載のバラスト水処理用膜カートリッジを用いたバラスト水の処理方法である。【００２２】
請求項５記載の発明は、膜カートリッジは、バラストタンクへ１日で処理水を満水にするために必要な本数を備えることを特徴とする請求項１〜４の何れかに記載のバラスト水処理用膜カートリッジを用いたバラスト水の処理方法である。
【発明の効果】
【００２３】
本発明によれば、多量のバラスト処理水を短時間にバラストタンクへ供給できるバラスト水処理用膜カートリッジを用いたバラスト水の処理方法を提供することができる。
【図面の簡単な説明】
【００２４】
【図１】本発明に係るバラスト水処理用膜カートリッジを用いたバラスト水の処理設備の一例を示す図
【図２】膜カートリッジの要部断面図
【図３】本発明に係るバラスト水処理用膜カートリッジを用いたバラスト水の処理設備の他の例を示す図
【図４】マニホールド構造の斜視図
【図５】マニホールド構造の第１態様を示す断面図
【図６】膜カートリッジの並設における本発明と従来例の比較図
【図７】マニホールド構造の第２態様を示す断面図
【図８】マニホールド構造の第３態様を示す断面図
【図９】膜ユニット集合体を備えたバラスト水の処理設備の一例を示す図
【符号の説明】
【００２５】
１：膜カートリッジ
１００：バラスト処理水集水管
１０１：封筒状膜（スパイラル膜）
１０２：支持体
１０３：バラスト原水流路
２０３：バラスト原水入口
３０３：洗浄排液出口
３０５：処理水出口
２：第１マニホールド
２０１：バラスト原水室
２０２：バラスト原水導入口
２０４：処理水室
２０５：処理水導入口
２０６：処理水排出口
２０７：導入口
２０８：バラスト原水導入管
３：第２マニホールド
３０１：洗浄排液室
３０２：処理水室
３０４：洗浄排液排出口
３０６：処理水排出口
３０７：排出口
４：膜ユニット
５：膜ユニット集合体
１０：バラスト原水
１１：バラストポンプ
１２：バラスト原水吸込み管
１３：開閉弁
１４：放流管
１５：開閉弁
１６：バラストタンク
１７：処理水管
１８：開閉弁
１９：制御装置
【発明を実施するための形態】
【００２６】
以下、本発明を実施するための形態について説明する。
【００２７】
図１は、本発明に係るバラスト水処理用膜カートリッジを用いたバラスト水の処理設備の一例を示す図である。
【００２８】
バラスト原水１０は、バラストポンプ１１によって汲み上げられ、膜カートリッジ１に供給される。１２はバラスト原水吸込み管、１３はバラスト原水吸込み管１２に設けられる開閉弁である。
【００２９】
膜カートリッジ１は、該膜カートリッジ１が備えるバラスト原水入口２０３、処理水出口３０５及び洗浄排液出口３０３を介して、バラスト原水吸込み管１２、処理水管１７及び放流管１４にそれぞれ接続されている。１８は処理水管１７に設けられる開閉弁、１５は、放流管１４に設けられる開閉弁である。バラストポンプ１１及び開閉弁１３、１５、１８は、制御装置１９に接続されており、制御装置１９により、バラストポンプ１１のポンプ流量調整、及び、開閉弁１３の開閉が制御可能とされる。
【００３０】
本発明において、バラスト原水は、船舶バラスト水として従来使用されてきた水であればよく、海水がおもに使用される。
【００３１】
また、本態様では、１本の膜カートリッジを用いているが、膜カートリッジは、バラストタンクへ１日で処理水を満水にするために必要な本数を並列に設置して備えることが好ましく、これについては後述する。
【００３２】
膜カートリッジ１に供給されたバラスト原水は膜処理され、生じた処理水は処理水管１７を介してバラストタンク１６に供給される。
【００３３】
また、膜カートリッジ１は、放流管１４を介して、洗浄排液を例えば海へ放流する。
【００３４】
図２を参照して、膜カートリッジの一例について説明する。
【００３５】
図２は、膜カートリッジの要部断面図である。
【００３６】
膜カートリッジ１は、バラスト処理水集水管１００と該集水管１００の外周に巻回された１以上の封筒状膜（スパイラル膜）１０１からなるスパイラル膜モジュールを内部に装填している。前記集水管１００の内部は、各々の封筒状膜１０１の封筒体内部と連通している。
【００３７】
また、該集水管１００の外周に巻回された複数の封筒状膜１０１の各々の封筒体内部には、膜を封筒状に張設すると共に、処理水（透過水）を該集水管１００に移送するための支持体１０２を設けることができる。
【００３８】
原水流路１０３は、スパイラル膜の外部で、該集水管１００と膜カートリッジ１の内面に形成される。
【００３９】
また、集水管１００は、処理水出口３０５を介して処理水管１７に接続され、原水流路１０３は、バラスト原水入口２０３を介してバラスト原水吸込み管１２に接続されると共に、洗浄排液出口３０３を介して放流管１４に接続されている。
【００４０】
以上の構成を有する設備において、バラストポンプ１１を作動させて、バラスト原水を汲み上げ、膜カートリッジ１に供給する。
【００４１】
本発明において、膜カートリッジによる膜処理では、デッドエンド方式による全量ろ過が行われる。
【００４２】
この方式は、放流管１４に設けられた開閉弁１５を閉じ、処理水管１７の開閉弁１８を開けて、バラストポンプ１１を始動して、バラスト原水を膜カートリッジ１のバラスト原水入口２０３に供給して、その全量を膜処理することによって行われる。膜処理によって生じた処理水は、処理水出口３０５から、処理水管１７に送られ、バラストタンク１６に供給される。
【００４３】
デッドエンド方式で全量ろ過する場合においては、膜ろ過による圧力損失が１００〜２００ｋＰａであることが望ましいため、バラスト原水圧は実際の揚程＋１００〜２００ｋＰａとなるように調節することが好ましい。バラスト原水圧がこの値より低い場合は、十分なフラックスが得られず、この値より高い場合は、スパイラル膜にかかる圧力負荷が大きく、膜が損傷する恐れがある。
【００４４】
従来の加圧循環方式の膜処理では、バラスト原水は、処理水と濃縮水に分離され、その比率が処理水１０：濃縮水９０程度の低負荷運転が行われている。これに対して、デッドエンド方式で全量ろ過した場合は、処理水と濃縮水の比率が１００：０であり、処理速度が通常運転時の１０倍程度にまで向上する。
【００４５】
従って、この方式では、バラスト原水の処理が高速であり、短時間でバラストタンク１６に大量のバラスト水を充填することが可能となる。
【００４６】
しかし、デッドエンド方式は、この様にバラスト水処理が高速であるが故に、膜表面の付着物質による目詰まりを起こし易く、フラックス低下が早い。長期の連続運転を行った場合は、目詰まりによって液が滞留し、膜への負荷が大きくなり、膜を損傷する恐れもある。
【００４７】
従来は、この様な問題を有するが故に、スパイラル膜カートリッジによる膜処理において、本発明の様な全量ろ過は、用いられていなかった。
【００４８】
それにも拘らず、本発明において、デッドエンド方式による全量ろ過が好ましく適用される理由は、本発明者が、バラスト水処理においては、漲水は通常１日程度で完了するため、長期の連続運転が要求されない点、更に、スパイラル膜カートリッジであれば、以下に説明する膜面平行流による洗浄を適用できる点を見出したためである。
【００４９】
本発明では、バラスト水の漲水時において、前述の全量ろ過と交互に、膜面平行流により膜表面の洗浄（この洗浄を本発明では、クロスフロー方式による膜洗浄といい、単に方式を指称する場合は、クロスフロー方式という場合がある）を行う。
【００５０】
前記膜面平行流とは、膜を透過する液流ではなく、原水流路１０３中において、封筒状膜１０１の表面に対して略平行な状態で、封筒状膜１０１の表面に沿う方向に流れる液流である。
【００５１】
このクロスフロー方式は、放流管１４に設けられた開閉弁１５を開けて、バラスト原水を膜カートリッジ１のバラスト原水入口２０３に供給して、洗浄排液出口３０３から排出させる。膜カートリッジ１内に供給されたバラスト原水は、スパイラル膜面と平行な流れによって、膜表面の付着物質を剥離させる。排出された付着物質を含むバラスト原水（洗浄排液）は、洗浄排液出口３０３から放流管１４を介して例えば海へ放流されてもよいし、あるいはその洗浄排液をバラスト原水側（バラスト原水入口２０３）に戻して洗浄排液を濃縮液として循環させてもよい。
【００５２】
次に、図３を参照して、クロスフロー方式による膜洗浄の他の態様について説明する。
【００５３】
図３は、本発明に係るバラスト水処理用膜カートリッジを用いたバラスト水の処理設備の他の例を示す図である。
【００５４】
図が示すバラスト水の処理設備において、１２ａは洗浄用バラスト原水吸込み管であり、膜カートリッジ１が備える洗浄排液出口３０３に接続されている。１３ａは、洗浄用バラスト原水吸込み管１２ａに設けられた開閉弁である。
【００５５】
また、１４ａは放流管（洗浄排液放流管）であり、膜カートリッジ１が備えるバラスト原水入口２０３と開閉弁１３との間に接続されている。１５ａは、該放流管１４ａに設けられた開閉弁である。バラストポンプ１１及び開閉弁１３、１３ａ、１５ａ、１８は、制御装置１９に接続されており、制御装置１９により、バラストポンプ１１のポンプ流量調整、及び、開閉弁１３、１３ａ、１５ａ、１８の開閉が制御可能とされる。
【００５６】
上記構成を有するバラスト水の処理設備において、膜洗浄時に、開閉弁１３を閉じ、開閉弁１３ａ及び１５ａを開いて、バラスト原水を洗浄排液排出口３０３から導入し、バラスト原水入口２０３から排出する。
【００５７】
これにより、膜処理時とは逆方向の膜面平行流による膜洗浄を行うことができる。該膜面平行流は、膜処理時と同方向の膜面平行流と比較して、膜表面に付着した付着物質の剥離作用がより強いため、より高い膜洗浄効果を得ることができる。
【００５８】
本発明において、クロスフロー方式で膜洗浄する際のバラスト原水圧は、実際の揚程と同等の範囲でよく、デッドエンド方式による全量ろ過の場合と比べると、低い圧力でよい。
【００５９】
また、本発明において、クロスフロー方式による膜洗浄の際には、処理水管１７の開閉弁１８を開放して、膜洗浄と共にバラスト原水をろ過して処理水を得てもよいし、反対に、開閉弁１８を閉鎖して、処理水を得ないようにしてもよい。
【００６０】
つまり、本発明では、全量ろ過により、膜面に付着物質が付着してフラックスが低下するが、膜面平行流による膜洗浄により、付着物質が膜面から剥離・除去されるため、膜洗浄を行っている間に処理水を得る場合にも、フラックスが回復し、膜処理水を効率的に得ることが可能となる。そのため、バラストタンクへのバラスト水供給時間を大幅に短縮できる効果を発揮する。
【００６１】
一方、処理水を得ないようにした場合は、付着物質を膜方向に押圧する力が更に低減するため、膜面平行流の形成が更に促され、洗浄の効率が飛躍的に向上し、洗浄を短時間で完了することが可能となる。従って、全量ろ過に割り当てる時間を増加させることができるため、バラストタンクへのバラスト水供給時間を大幅に短縮できる効果に繋がる。
【００６２】
膜洗浄と全量ろ過の切り替えのタイミングの制御は、例えば全量ろ過時にフラックスを測定し、該フラックスが特定値（最小フラックス）を下回る前に、膜洗浄に切り替えることが好ましい。
【００６３】
前記最小フラックスは、適宜設定でき、好ましくは初期フラックスの８０〜９５％、より好ましくは初期フラックスの８５〜９０％である。
【００６４】
本発明者の実験によると、全量ろ過時に、フラックスが初期フラックスの８０％まで低下する時間は、３〜４時間である。
【００６５】
また、膜洗浄の時間は、適宜設定でき、好ましくは３分〜３０分、より好ましくは５分〜１５分程度で十分なフラックスが回復する。
【００６６】
従って、上記時間に基づいて、タイマー制御によって、膜洗浄と全量ろ過の切り替えのタイミングを制御することも可能である。好ましくは全量ろ過を０．５〜３時間行って、膜洗浄を１〜１０分行うことであり、より好ましくは、全量ろ過を１〜２時間行って、膜洗浄を３〜６分行うことであり、更に好ましくは全量ろ過を１時間行って、膜洗浄を６分行うことである。タイマー制御には、制御装置１９が用いられ、具体的には、例えば、図１の態様では、全量ろ過時は、開閉弁１５を閉じると共に、開閉弁１８を開き、膜洗浄時は、開閉弁１５を開くと共に、処理水を得る／得ないに応じて開閉弁１８を開く／閉じるように制御し、あるいは、図３の態様では、全量ろ過時は、開閉弁１３ａ及び１５ａを閉じると共に、開閉弁１３及び１８を開き、膜洗浄時は、開閉弁１３ａ及び１５ａを開いて、開閉弁１３を閉じると共に、処理水を得る／得ないに応じて開閉弁１８を開く／閉じるように制御することができる。このとき、必要に応じて、バラストポンプ１１の流量の調整が行われてもよい。
【００６７】
以上の構成を有するバラスト水処理用膜カートリッジを用いたバラスト水の処理方法によって、多量のバラスト処理水を短時間にバラストタンクへ供給できる。
【００６８】
さらに、本発明者は、上記の構成を有するバラスト水の処理設備における圧力損失の低減について検討を行った。特に、全量ろ過時においては、バラスト原水が膜を透過する際の圧力損失が大きいため、ポンプへの負荷が大きく、ポンプ動力のコスト上昇や、ポンプ寿命が低下する等の問題を生じる。これに対して、ポンプを多数設置して対応した場合は、設置スペースや設置コストの増加を招く。膜の目開きを大きくして対応するにしても、除去すべき微生物のサイズから限界がある。
【００６９】
そこで、本発明者は、圧力損失が、バラスト原水の膜透過圧だけでなく、膜カートリッジに接続される配管によっても生じることに着目した。
【００７０】
つまり、配管を用いた場合には、流体力学上、配管長さ、配管の曲がり、配管径の拡大・縮小などによって圧力損失が生じる。特に、膜カートリッジを複数本備える場合は、膜カートリッジの数に応じて配管の数も増加し、圧力損失を増加させる。
【００７１】
そこで、本発明者は、配管による圧力損失の軽減について鋭意検討し、以下に詳述する特有のマニホールド構造によって膜カートリッジを連結して膜ユニットを構成することにより、圧力損失の低減が可能であることを見出した。
【００７２】
図４は、マニホールド構造の第１態様を示す斜視図、図５はマニホールド構造の第１態様を示す断面図である。
【００７３】
本態様では、６本の膜カートリッジ１を並設して膜ユニット４が形成されている。本発明において、膜カートリッジ１は２以上並設されればよく、その数は限定されるわけではないが、好ましくは３〜２０本の範囲であり、より好ましくは４〜１５本であり、さらに好ましくは５〜１０本である。
【００７４】
また、本態様では、膜カートリッジ１の一端（図面上左側）に第１マニホールド２を備え、他端に第２マニホールド３を備える。
【００７５】
第１マニホールド２は、直方体状のマニホールド本体２００内にバラスト原水室２０１を有し、該バラスト原水室２０１は、取水されたバラスト原水を導入する開口であるバラスト原水導入口２０２を備える。
【００７６】
またバラスト原水室２０１は、前記膜カートリッジ１のバラスト原水入口２０３と連通し、バラスト原水流路１０３にバラスト原水を送液可能とされる。
【００７７】
第１マニホールド２と膜カートリッジ１の接続手法は着脱可能であれば、特に限定されず、たとえば螺合手法などが採用され、図５の例では、螺合とＯリングによる密封を採用している。螺合は直接螺合する態様でも、補助部材を用いて螺合する態様でもよい。
【００７８】
バラスト原水室２０１とバラスト原水流路１０３の接続は格別限定されないが、直接接続すると圧力損失を減少できて好ましい。例えば図示のようにバラスト原水入口２０３がバラスト原水室２０１の側壁に設けられた開口に連通する場合には、その開口に向けてバラスト原水流路１０３を連通させる態様が好ましい。
【００７９】
前記第２マニホールド３は、直方体状のマニホールド本体３００内に洗浄排液室３０１と処理水室３０２を備える。洗浄排液室３０１と処理水室３０２は図示のように併設されることが好ましく、より好ましくは膜カートリッジ１に接して洗浄排液室３０１を配置し、膜カートリッジ１から遠い側に処理水室３０２を配置する態様が挙げられる。
【００８０】
洗浄排液室３０１は、膜カートリッジ１の洗浄排液出口３０３と連通しており、バラスト原水流路１０３から送られる洗浄排液を導入可能とされる。
【００８１】
第２マニホールド３と膜カートリッジ１の接続は着脱可能であれば、特に限定されず、たとえば螺合手法などが採用され、図５の例では、螺合とＯリングによる密封を採用している。螺合は直接螺合する態様でも、補助部材を用いて螺合する態様でもよい。
【００８２】
また、洗浄排液室３０１は、洗浄排液室３０１内の洗浄排液を外部に排出するための洗浄排液排出口３０４を側壁に備える。
【００８３】
処理水室３０２は、バラスト処理水集水管１００からの処理水出口３０５と連通しており、更に、処理水室３０２内に導入された処理水をバラストタンク（図示せず）へ移送するための処理水排出口３０６を備える。
【００８４】
処理水室３０２は、洗浄排液を外部に排出するための排出口３０７を設けることができる。この場合、前記洗浄排液排出口３０４に洗浄排液排出管３０８を設け、その洗浄排液排出管３０８を排出口３０７に連結することにより、洗浄排液室３０１内の洗浄排液を外部に排出できる。
【００８５】
なお、図示の例では、洗浄排液排出口３０４を洗浄排液室３０１の側壁に備えているが、洗浄排液室３０１の上壁又は下壁に設けることもでき、その場合には、排出口３０７及び洗浄排液排出管３０８を設ける必要はない。
【００８６】
本発明では、上述した特有のマニホールド構造によって、複数の膜カートリッジを処理ライン上に並列に設置してユニット化して、圧力損失の低減を図った（図６（ａ））。
【００８７】
例えば特開２００５−２７０８１０に開示されているような、ヘッダー管に対して複数の膜カートリッジを、それぞれ配管によって連結した場合（図６（ｂ））と比較して、配管の数が大幅に削減される。例えば、６本の膜カートリッジを本発明のマニホールド構造によって連結した場合は、配管の数が１／６に削減される。
【００８８】
従って、配管を用いた場合に生じる、流体力学上、配管長さ、配管の曲がり、配管径の拡大・縮小などによって発生する圧力損失が大幅に削減され、原水ポンプの動力を抑えることが可能となり、ランニングコストを下げることができる。
【００８９】
ところで、好ましいマニホールド構造は、上記に限定されず、図７及び図８に示す態様であってもよい。
【００９０】
図７は、マニホールド構造の第２態様を示す断面図である。
【００９１】
第２態様において、第１マニホールド２は、直方体状のマニホールド本体２００内にバラスト原水室２０１と処理水室２０４を備える。バラスト原水室２０１と処理水室２０４は図示のように併設されることが好ましく、より好ましくは膜カートリッジ１に接してバラスト原水室２０１を配置し、膜カートリッジ１から遠い側に処理水室２０４を配置する態様が挙げられる。
【００９２】
バラスト原水室２０１は、取水されたバラスト原水を導入する開口であるバラスト原水導入口２０２を備える。
【００９３】
また、バラスト原水室２０１は、前記膜カートリッジ１のバラスト原水入口２０３と連通し、バラスト原水流路１０３にバラスト原水を送液可能とされる。
【００９４】
第１マニホールド２と膜カートリッジ１の接続手法は着脱可能であれば、特に限定されず、たとえば螺合手法などが採用され、図示の例では、螺合とＯリングによる密封を採用している。螺合は直接螺合する態様でも、補助部材を用いて螺合する態様でもよい。
【００９５】
バラスト原水室２０１とバラスト原水流路１０３の接続は格別限定されないが、直接接続すると圧力損失を減少できて好ましい。例えば図示のようにバラスト原水入口２０３がバラスト原水室２０１の側壁に設けられた開口に連通する場合には、その開口に向けてバラスト原水流路１０３を連通させる態様が好ましい。
【００９６】
処理水室２０４は、バラスト処理水集水管１００から処理水を導入可能な処理水導入口２０５と、処理水室２０４内の処理水をバラストタンク（図示せず）へ移送するための処理水排出口２０６を備える。
【００９７】
処理水室２０４は、バラスト原水をバラスト原水室２０１に導入するための導入口２０７を設けることができる。この場合、前記バラスト原水導入口２０２にバラスト原水導入管２０８を設け、そのバラスト原水導入管２０８を導入口２０７に連結することにより、バラスト原水をバラスト原水室２０１に導入できる。
【００９８】
なお、図示の例では、バラスト原水導入口２０２をバラスト原水室２０１の側壁に備えているが、バラスト原水室２０１の上壁又は下壁に設けることもでき、その場合には、導入口２０７を設ける必要はない。
【００９９】
前記第２マニホールド３は、直方体状のマニホールド本体３００内に洗浄排液室３０１を備える。
【０１００】
洗浄排液室３０１は、膜カートリッジ１の洗浄排液出口３０３と連通しており、バラスト原水流路１０３から送られる洗浄排液を導入可能に設けられている。
【０１０１】
第２マニホールド３と膜カートリッジ１の接続は着脱可能であれば、特に限定されず、たとえば螺合手法などが採用され、図示の例では、螺合とＯリングによる密封を採用している。螺合は直接螺合する態様でも、補助部材を用いて螺合する態様でもよい。
【０１０２】
また、洗浄排液室３０１は、洗浄排液室３０１内の洗浄排液を外部に排出するための洗浄排液排出口３０４を側壁に備える。
【０１０３】
図８は、マニホールド構造の第３態様を示す断面図である。
【０１０４】
第３態様において、第１マニホールド２は、直方体状のマニホールド本体２００内にバラスト原水室２０１と第１の処理水室２０４を備える。バラスト原水室２０１と第１の処理水室２０４は図示のように併設されることが好ましく、より好ましくは膜カートリッジ１に接してバラスト原水室２０１を配置し、膜カートリッジ１から遠い側に第１の処理水室２０４を配置する態様が挙げられる。
【０１０５】
バラスト原水室２０１は、取水されたバラスト原水を導入する開口であるバラスト原水導入口２０２を備える。
【０１０６】
また、バラスト原水室２０１は、前記膜カートリッジ１のバラスト原水入口２０３と連通し、バラスト原水流路１０３にバラスト原水を送液可能とされる。
【０１０７】
第１マニホールド２と膜カートリッジ１の接続手法は着脱可能であれば、特に限定されず、たとえば螺合手法などが採用され、図示の例では、螺合とＯリングによる密封を採用している。螺合は直接螺合する態様でも、補助部材を用いて螺合する態様でもよい。
【０１０８】
バラスト原水室２０１とバラスト原水流路１０３の接続は格別限定されないが、直接接続すると圧力損失を減少できて好ましい。例えば図示のようにバラスト原水入口２０３がバラスト原水室２０１の側壁に設けられた開口に連通する場合には、その開口に向けてバラスト原水流路１０３を連通させる態様が好ましい。
【０１０９】
第１の処理水室２０４は、バラスト処理水集水管１００から処理水を導入可能な処理水導入口２０５と、第１の処理水室２０４内の処理水をバラストタンク（図示せず）へ移送するための処理水排出口２０６を備える。
【０１１０】
第１の処理水室２０４は、バラスト原水をバラスト原水室２０１に導入するための導入口２０７を設けることができる。この場合、前記バラスト原水導入口２０２にバラスト原水導入管２０８を設け、そのバラスト原水導入管２０８を導入口２０７に連結することにより、バラスト原水をバラスト原水室２０１に導入できる。
【０１１１】
なお、図示の例では、バラスト原水導入口２０２をバラスト原水室２０１の側壁に備えているが、バラスト原水室２０１の上壁又は下壁に設けることもでき、その場合には、導入口２０７を設ける必要はない。
【０１１２】
前記第２マニホールド３は、直方体状のマニホールド本体３００内に洗浄排液室３０１と第２の処理水室３０２を備える。洗浄排液室３０１と第２の処理水室３０２は図示のように併設されることが好ましく、より好ましくは膜カートリッジ１に接して洗浄排液室３０１を配置し、膜カートリッジ１から遠い側に第２の処理水室３０２を配置する態様が挙げられる。
【０１１３】
洗浄排液室３０１は、膜カートリッジ１の洗浄排液出口３０３と連通しており、バラスト原水流路１０３から送られる洗浄排液を導入可能とされる。
【０１１４】
第２マニホールド３と膜カートリッジ１の接続は着脱可能であれば、特に限定されず、たとえば螺合手法などが採用され、図示の例では、螺合とＯリングによる密封を採用している。螺合は直接螺合する態様でも、補助部材を用いて螺合する態様でもよい。
【０１１５】
また、洗浄排液室３０１は、洗浄排液室３０１内の洗浄排液を外部に排出するための洗浄排液排出口３０４を側壁に備える。
【０１１６】
第２の処理水室３０２は、バラスト処理水集水管１００から処理水を導入可能な処理水出口３０５と、第２の処理水室３０２内の処理水をバラストタンク（図示せず）へ移送するための処理水排出口３０６を備える。
【０１１７】
第２の処理水室３０２は、洗浄排液を外部に排出するための排出口３０７を設けることができる。この場合、前記洗浄排液排出口３０４に洗浄排液排出管３０８を設け、その洗浄排液排出管３０８を排出口３０７に連結することにより、洗浄排液室３０１内の洗浄排液を外部に排出できる。
【０１１８】
なお、図示の例では、洗浄排液排出口３０４を洗浄排液室３０１の側壁に備えているが、洗浄排液室３０１の上壁又は下壁に設けることもでき、その場合には、排出口３０７及び洗浄排液排出管３０８を設ける必要はない。
【０１１９】
上記第３態様によれば、第１マニホールド２及び第２マニホールド３を同一の部品とすることが可能であり、装置の成形が容易である。
【０１２０】
ところで、本発明において、膜カートリッジは、バラストタンクへ１日で処理水を満水にするために必要な本数を並列に設置して備えることが好ましい。
【０１２１】
処理時間Ｔ（Ｄａｙ）の間に、バラストタンクへ処理水を満水にするために必要な膜カートリッジの本数ｎは、バラストタンク容量をＱ（ｍ３）、１本の膜カートリッジあたりの膜面積をＳ（ｍ２）、初期フラックス（透過流束）をＦ０（ｍ／Ｄａｙ）、処理時間をＴ（Ｄａｙ）とした場合、以下の式で表せる。
ｎ＝α・Ｑ／（Ｓ・Ｆ０・Ｔ）
【０１２２】
従って、１日で処理水を満水にする場合は、以下の式で表せる。
ｎ＝α・Ｑ／（Ｓ・Ｆ０）
【０１２３】
αは、全量ろ過時におけるフラックス低下に起因する処理量の低下、及び、膜洗浄時における処理量の低下を補正する係数で、通常１．０５〜１．３０の範囲である。
【０１２４】
例えば、１本の膜カートリッジの膜面積が、３８ｍ２のものを使用し、初期フラックスが、１．５ｍ／Ｄのものを使用する。バラストタンクの容量が２００００ｍ３の場合、１日で処理水を供給する場合には膜カートリッジは約３７０〜４６０本必要である。
【０１２５】
この様に、バラスト水処理の場合は、大量の膜カートリッジを並列に設置する必要がある。従来の配管によるマニホールド構造で並設した場合は、配管による圧力損失が大きいため、更に圧力損失を増大させる全量ろ過を適用する上で課題が残されていた。
【０１２６】
これに対して、上述した特有のマニホールド構造によって削減される圧力損失は、削減された配管の数に応じて莫大なものとなり、圧力損失の大きい全量ろ過を、より実用的に施行することが可能となる。
【０１２７】
さらに、上述した特有のマニホールド構造を用いた場合は、以下に説明する膜ユニット集合体を形成することで、更なる圧力損失が図られる。
【０１２８】
図９は、膜ユニット集合体を備えたバラスト水の処理設備の一例を示す図である。
【０１２９】
５は膜ユニット集合体であり、複数の膜ユニット４を棚段状に組み込んで構成されている。ここでは、膜ユニット４は、図４に示した態様のものを用いている。
【０１３０】
各々の膜ユニット４は、直方体状のマニホールドの下側面を膜ユニット載置部位に当接させて棚段状に載置されている。また、各々の膜ユニット４において、膜カートリッジ１は、両端をマニホールドに支持された状態で存在している。
【０１３１】
前記膜ユニット載置部位は、Ｌ字型等のアングルによって形成した骨格であってもよいし、他の膜ユニットが有するマニホールドの上側面であってもよい。
【０１３２】
このように、膜ユニット集合体を形成することにより、多数の膜ユニットを密集させることが可能となり、各々の膜ユニットを集水管と結ぶための配管が短いものでよいため、配管による圧力損失が更に低減する。
【０１３３】
なお、以上に説明した圧力損失の低減効果は、全量ろ過時のみではなく、膜洗浄時においても得られることは言うまでもない。
【図１】
2011040603.tif 000003
【図２】
2011040603.tif 000004
【図３】
2011040603.tif 000005
【図４】
2011040603.tif 000006
【図５】
2011040603.tif 000007
【図６】
2011040603.tif 000008
【図７】
2011040603.tif 000009
【図８】
2011040603.tif 000010
【図９】
2011040603.tif 000011
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
バラスト処理水集水管と該バラスト処理水集水管の外周に設けられるスパイラル膜からなるスパイラル膜モジュールを内部に備え、該スパイラル膜モジュールの外部にバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と連通する第１の室を備え、
前記第２マニホールドは、マニホールド本体内に前記膜カートリッジの各々の前記バラスト原水流路と連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜表面を洗浄し、洗浄排液を前記第２マニホールドの前記第１の室又は前記第１マニホールドの前記第１の室に排出することを特徴とするバラスト水処理用カートリッジを用いたバラスト水の処理方法。
【請求項２】
前記膜洗浄の際に、バラスト原水の膜面平行流により膜表面を洗浄すると共に膜処理水を得ないことを特徴とする請求項１記載のバラスト水処理用カートリッジを用いたバラスト水の処理方法。
【請求項３】
前記膜洗浄の際に、バラスト原水の膜面平行流により膜表面を洗浄すると共に膜処理水を得ることを特徴とする請求項１記載のバラスト水処理用カートリッジを用いたバラスト水の処理方法。
【請求項４】
全量ろ過による膜処理と膜面平行流による膜洗浄の切り替えを、タイマーによって行うことを特徴とする請求項１〜３の何れかに記載のバラスト水処理用カートリッジを用いたバラスト水の処理方法。
【請求項５】
膜カートリッジは、バラストタンクへ１日で処理水を満水にするために必要な本数を備えることを特徴とする請求項１〜４の何れかに記載のバラスト水処理用カートリッジを用いたバラスト水の処理方法。
【請求項６】
前記第２のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法。
【請求項７】
前記第１のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法。
【請求項８】
前記第１のマニホールドは、前記膜カートリッジの各々の前記バラスト処理水集水管と連通する第２の室を備えると共に、前記第２のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法。
【手続補正２】
【補正対象書類名】明細書
【補正対象項目名】００１８
【補正方法】変更
【補正の内容】
【００１８】
請求項１記載の発明は、バラスト処理水集水管と該バラスト処理水集水管の外周に設けられるスパイラル膜からなるスパイラル膜モジュールを内部に備え、該スパイラル膜モジュールの外部にバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と連通する第１の室を備え、
前記第２マニホールドは、マニホールド本体内に前記膜カートリッジの各々の前記バラスト原水流路と連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜表面を洗浄し、洗浄排液を前記第２マニホールドの前記第１の室又は前記第１マニホールドの前記第１の室に排出することを特徴とするバラスト水処理用カートリッジを用いたバラスト水の処理方法である。
【手続補正３】
【補正対象書類名】明細書
【補正対象項目名】００２２
【補正方法】変更
【補正の内容】
【００２２】
請求項５記載の発明は、膜カートリッジは、バラストタンクへ１日で処理水を満水にするために必要な本数を備えることを特徴とする請求項１〜４のいずれかに記載のバラスト水処理用カートリッジを用いたバラスト水の処理方法である。
請求項６記載の発明は、前記第２のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法である。
請求項７記載の発明は、前記第１のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法である。
請求項８記載の発明は、前記第１のマニホールドは、前記膜カートリッジの各々の前記バラスト処理水集水管と連通する第２の室を備えると共に、前記第２のマニホールドは、前記膜カートリッジの各々の前記バラスト処理水集水管と連通する第２の室を備えていることを特徴とする請求項１〜５の何れかに記載のバラスト水処理用カートリッジを用いたバラスト水の処理方法である。
【手続補正４】
【補正対象書類名】明細書
【補正対象項目名】００２５
【補正方法】変更
【補正の内容】
【００２５】
１：膜カートリッジ
１００：バラスト処理水集水管
１０１：封筒状膜（スパイラル膜）
１０２：支持体
１０３：バラスト原水流路
２０３：バラスト原水入口
３０３：洗浄排液出口
３０５：処理水出口
２：第１マニホールド
２０１：バラスト原水室（第１の室）
２０２：バラスト原水導入口
２０４：処理水室（第２の室）
２０５：処理水導入口
２０６：処理水排出口
２０７：導入口
２０８：バラスト原水導入管
３：第２マニホールド
３０１：洗浄排液室（第１の室）
３０２：処理水室（第２の室）
３０４：洗浄排液排出口
３０６：処理水排出口
３０７：排出口
４：膜ユニット
５：膜ユニット集合体
１０：バラスト原水
１１：バラストポンプ
１２：バラスト原水吸込み管
１３：開閉弁
１４：放流管
１５：開閉弁
１６：バラストタンク
１７：処理水管
１８：開閉弁
１９：制御装置
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室を備え、
前記第２マニホールドは、マニホールド本体内に前記膜カートリッジの各々の前記バラスト原水流路と直接接続して連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法。
【請求項２】
全量ろ過による膜処理と膜面平行流による膜洗浄の切り替えを、タイマーによって行うことを特徴とする請求項１に記載のバラスト水処理用カートリッジを用いたバラスト水の処理方法。
【請求項３】
膜カートリッジは、バラストタンクへ１日で処理水を満水にするために必要な本数を備えることを特徴とする請求項１又は２に記載のバラスト水処理用カートリッジを用いたバラスト水の処理方法。
【請求項４】
前記第２のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法。
【請求項５】
前記第１のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法。
【請求項６】
前記第１のマニホールドは、前記膜カートリッジの各々の前記バラスト処理水集水管と連通する第２の室を備えると共に、前記第２のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法。
【手続補正２】
【補正対象書類名】明細書
【補正対象項目名】００１８
【補正方法】変更
【補正の内容】
【００１８】
請求項１記載の発明は、バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室を備え、
前記第２マニホールドは、マニホールド本体内に前記膜カートリッジの各々の前記バラスト原水流路と直接接続して連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法である。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
請求項２記載の発明は、全量ろ過による膜処理と膜面平行流による膜洗浄の切り替えを、タイマーによって行うことを特徴とする請求項１に記載のバラスト水処理用カートリッジを用いたバラスト水の処理方法である。
【手続補正６】
【補正対象書類名】明細書
【補正対象項目名】００２２
【補正方法】変更
【補正の内容】
【００２２】
請求項３記載の発明は、膜カートリッジは、バラストタンクへ１日で処理水を満水にするために必要な本数を備えることを特徴とする請求項１又は２に記載のバラスト水処理用カートリッジを用いたバラスト水の処理方法である。
請求項４記載の発明は、前記第２のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法である。
請求項５記載の発明は、前記第１のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法である。
請求項６記載の発明は、前記第１のマニホールドは、前記膜カートリッジの各々の前記バラスト処理水集水管と連通する第２の室を備えると共に、前記第２のマニホールドは、前記膜カートリッジの各々の前記バラスト処理水集水管と連通する第２の室を備えていることを特徴とする請求項１、２又は３に記載のバラスト水処理用カートリッジを用いたバラスト水の処理方法である。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室を備え、
前記第２マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法。
【請求項２】
バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備え、
前記第２マニホールドは、マニホールド本体内に前記膜カートリッジの各々の前記バラスト原水流路と直接接続して連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法。
【請求項３】
バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備え、
前記第２マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法。
【請求項４】
全量ろ過による膜処理と膜面平行流による膜洗浄の切り替えを、タイマーによって行うことを特徴とする請求項１、２又は３に記載のバラスト水処理用カートリッジを用いたバラスト水の処理方法。
【請求項５】
膜カートリッジは、バラストタンクへ１日で処理水を満水にするために必要な本数を備えることを特徴とする請求項１〜４のいずれかに記載のバラスト水処理用カートリッジを用いたバラスト水の処理方法。
【手続補正２】
【補正対象書類名】明細書
【補正対象項目名】００１８
【補正方法】変更
【補正の内容】
【００１８】
請求項１記載の発明は、バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室を備え、
前記第２マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法である。
【手続補正３】
【補正対象書類名】明細書
【補正対象項目名】００１９
【補正方法】変更
【補正の内容】
【００１９】
請求項２記載の発明は、バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備え、
前記第２マニホールドは、マニホールド本体内に前記膜カートリッジの各々の前記バラスト原水流路と直接接続して連通する第１の室を備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法である。
【手続補正４】
【補正対象書類名】明細書
【補正対象項目名】００２０
【補正方法】変更
【補正の内容】
【００２０】
請求項３記載の発明は、バラスト処理水集水管と該バラスト処理水集水管の外周に設けられるスパイラル膜からなるスパイラル膜モジュールを内部に備え、該スパイラル膜モジュールの外部に両端に向けてそれぞれ開口するバラスト原水流路を形成してなる膜カートリッジの該バラスト原水流路にバラスト原水を供給して前記スパイラル膜を介して前記バラスト処理水集水管からバラスト処理水を得る膜処理と、膜洗浄を交互に行うバラスト水処理用膜カートリッジを用いたバラスト水の処理方法であって、
前記膜カートリッジを２以上並設し、該２以上の膜カートリッジの一端に第１マニホールドを共通に備えると共に他端に第２マニホールドを共通に備え、
前記第１マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備え、
前記第２マニホールドは、マニホールド本体内に前記膜カートリッジの各々の前記バラスト原水流路と直接接続して連通する第１の室と、前記膜カートリッジの各々の前記バラスト処理水集水管と連通する第２の室とを備えてなり、
前記膜処理の際に、前記第１マニホールドの前記第１の室から前記膜カートリッジの各々の前記バラスト原水流路にバラスト原水を供給することにより、デッドエンド方式で全量ろ過して膜処理水を得、
次いで、前記膜洗浄の際に、前記第１マニホールドの前記第１の室又は前記第２のマニホールドの前記第１の室から前記膜カートリッジの各々の前記バラスト原水流路にバラスト原水を供給することにより、該バラスト原水の膜面平行流により膜処理水を得ることなく膜表面を洗浄し、洗浄排液を前記第２マニホールドの前記第１の室又は前記第１マニホールドの前記第１の室に排出することを特徴とするバラスト水処理用カートリッジを用いたバラスト水の処理方法である。
【手続補正５】
【補正対象書類名】明細書
【補正対象項目名】００２１
【補正方法】変更
【補正の内容】
【００２１】
請求項４記載の発明は、全量ろ過による膜処理と膜面平行流による膜洗浄の切り替えを、タイマーによって行うことを特徴とする請求項１、２又は３に記載のバラスト水処理用カートリッジを用いたバラスト水の処理方法である。
【手続補正６】
【補正対象書類名】明細書
【補正対象項目名】００２２
【補正方法】変更
【補正の内容】
【００２２】
請求項５記載の発明は、膜カートリッジは、バラストタンクへ１日で処理水を満水にするために必要な本数を備えることを特徴とする請求項１〜４のいずれかに記載のバラスト水処理用カートリッジを用いたバラスト水の処理方法である。
【国際調査報告】
2011040603.tif 000012
2011040603.tif 000013
2011040603.tif 000014
2011040603.tif 000015